(57)【特許請求の範囲】
【請求項１】
内部に発光要素を有する管状の発光管と、この発光管の両端に形成された封止部と、この封止部から突出する外部リードと、この外部リードに接続された端子部材とより構成される管状ランプにおいて、
前記端子部材は、発光管側端部が円筒状のパイプになっており、該発光管側とは反対側の端部に給電線が固着されており、
前記外部リードは、前記端子部材のパイプ状の発光管側端部を通り抜け、当該端子部材の平坦部まで延び、当該平坦部で前記端子部材に溶接されていて、
前記端子部材のパイプの発光管側端部が前記封止部の外部リードが突出する外端面と面接触していることを特徴とする管状ランプ。
【発明の詳細な説明】
【技術分野】
【０００１】
本発明は、管状ランプに関するものであり、特に、封止部から突出する外部リードに屈曲可能な給電線の先端に取り付けられた端子部材が接点溶接された管状ランプに関するものである。
【背景技術】
【０００２】
従来から複写機などのトナー定着用の加熱ローラを有す加熱定着装置において、加熱ローラ内に熱源として管状ランプを配置する構造は知られている。
従来の管状ランプを図１１を用いて説明する。
管状ランプは、発光管１内にフィラメント２が配置されており、両端に封止部３を有し、この封止部３からフィラメント２に電気的に接続された外部リード４が突出しており、この外部リード４に給電線６に接続された平板状の端子部材５が接点溶接された構造である。
また、図１２に示すように、外部からの衝撃から、外部リード４と端子部材５の溶接部分を守るために、封止部３にセラミック製のベース７を取り付けた管状ランプも知られている。
【０００３】
【特許文献１】特開２００６−３３１９５２号公報
【発明の開示】
【発明が解決しようとする課題】
【０００４】
加熱ローラ内に上記の管状ランプを配置した場合、給電線６がローラの端部から伸び出し、加熱定着装置内で引き回されて電源に接続されるものである。
このように給電線６を装置内で引き回して所定の位置に給電線６を配設する際に、給電線６に曲げ応力が加わると、給電線６に接続された端子部材５にも様々な方向に応力が加わる。
この結果、端子部材５が外部リード４に対して動こうとする現象が発生し、端子部材５と外部リード４との溶接部分が破壊され、端子部材５が外部リード４から外れてしまうという問題があった。
【０００５】
本発明は、このような問題を解決するためになされたものであって、給電線に曲げ応力が加わっても、給電線に接続された端子部材と外部リードとの溶接部分に応力が伝わることがなく、端子部材が外部リードから外れることがない管状ランプを提供することにある。
【課題を解決するための手段】
【０００６】
請求項１に記載の本発明の管状ランプは、内部に発光要素を有する管状ガラス部と、この管状ガラス部の両端に形成された封止部と、この封止部から突出する外部リードと、この外部リードに接続された端子部材とより構成される管状ランプにおいて、前記端子部材は、前記管状ランプ側端部において前記封止部の一部と面接触していることを特徴とする。
請求項２に記載の本発明の管状ランプは、内部に発光要素を有する管状ガラス部と、この管状ガラス部の両端に形成された封止部と、この封止部から突出する外部リードと、この外部リードと接点溶接により接続された端子部材と、この外部リードおよび端子部材を取り囲むベース部材より構成される管状ランプにおいて、前記端子部材は、前記管状ランプ側端部において前記ベース部材の一部分と面接触していることを特徴とする。
【０００７】
さらに、端子部材の発光管側端部は、前記封止部の外部リードが突出する外端面と面接触していることを特徴とする。
さらに、端子部材の発光管側端部は、円筒状のパイプになっており、このパイプの発光管側端部が前記封止部の外部リードが突出する外端面と面接触していることを特徴とする。
さらに、端子部材の発光管側端部は、当該端子部材の長手方向と交差する方向に広がる拡大部を有し、前記拡大部が、前記封止部の外部リードが突出する外端面と面接触していることを特徴とする。
さらに、端子部材の発光管側端部は、前記発光管側が当該端子部材の長手方向と交差する方向に折曲された舌片部を有し、この舌片部で前記封止部の外部リードが突出する外端面と面接触していることを特徴とする。
【０００８】
さらに、ベース部材は筒状であって内方に伸びる壁部を有し、前記端子部材の発光管側端部は、前記壁部と面接触していることを特徴とする。
さらに、端子部材の発光管側端部は、当該端子部材の長手方向と交差する方向に広がる拡大部を有し、前記拡大部が、前記ベース部材の壁部と面接触していることを特徴とする。
【発明の効果】
【０００９】
本発明の管状ランプによれば、給電線に曲げ応力が加わっても、給電線に接続された端子部材と外部リードとの溶接箇所に応力が伝わることがなく、端子部材が外部リードから外れることがないものである。
【発明を実施するための最良の形態】
【００１０】
以下、本願発明の管状ランプを図面を用いて説明する。
図１は、本願発明の管状ランプの平面図であり、図２は、図１における管状ランプの一端部の拡大斜視図である。
管状ランプは、内部にフィラメント２を有する管状の発光管１を有し、この発光管１の両端に封止部３が形成されている。封止部３からフィラメント２に電気的に接続された外部リード４が突出しており、この外部リード４に端子部材５が接点溶接により接続されている。この端子部材５は、給電線６の先端にカシメによって固着されている。
【００１１】
図２を用いて詳細に説明する。
封止部３は、溶融した発光管１の端部をピンチシールしたものであり、外形形状は略直方体をしており、モリブデンよりなる線状の外部リード４が突出する外端面３１と、ピンチシールした幅広面と幅狭面の外側面３２を有するものである。
【００１２】
端子部材５は、外部リード４の長手方向に伸びる形態を有しており、発光管側端部５１が円筒状のパイプになっており、この発光管側端部５１の点線で示す円状縁部５１０全域が封止部３の外端面３１に面接触している。
また、端子部材５の発光管側とは反対側の端部は、２つの折り曲げ片５２になっており、給電線６の先端が端子部材５と重なった状態にしてから、折り曲げ片５２を折り曲げることにより、給電線６の先端にカシメによって端子部材５が固着されている。
さらに、外部リード４は、端子部材５のパイプ状の発光管側端部５１を通り抜け、端子部材５の平坦部５３まで延びており、この平坦部５３で外部リード４は端子部材５と接点溶接されている。
【００１３】
この結果、図２中、矢印方向で示すように給電線６に曲げ応力が働き、端子部材５が給電線６の動きに追従して、どのような方向に動こうとしても、端子部材５の発光管側端部５１の円状縁部５１０が外端面３１に円状に面接触しているので、端子部材５が動かず、端子部材５と外部リード４との溶接部分に応力が伝わらず、端子部材５が外部リード４から外れることがないものである。
【００１４】
図３は、本願発明の管状ランプの他の一例を示すものであり、一端側の封止部近傍の拡大斜視図である。
封止部３は、図２で示した構造と同様であり、外部リード４が突出する外端面３１と、ピンチシールした幅広面と幅狭面の外側面３２を有するものである。
【００１５】
端子部材５は、外部リード４の長手方向に伸びる形態を有しており、発光管側端部が端子部材５の長手方向と交差する方向に広がる拡大部５４を有している。
拡大部５４は、端子部材５の平坦部５３に繋がっており、それぞれの拡大部５４は、平坦部５３が形成された平面に対して反対方向に折り曲げられている。
端子部材５の発光管側とは反対側の端部は、２つの折り曲げ片５２になっており、給電線６の先端が端子部材５と重なった状態にしてから、折り曲げ片５２を折り曲げることにより、給電線６の先端にカシメによって端子部材５が固着されている。
【００１６】
さらに、外部リード４は、拡大部５４を超えて、平坦部５３まで延びており、この平坦部５３で外部リード４は端子部材５と接点溶接されている。
なお、平坦部５３の発光管側は、それぞれの拡大部５４によって挟まれる領域の部分も拡大部５４の一部と見なすものである。
つまり、端子部材５の発光管側端部が拡大部５４となっており、この拡大部５４の点線で示す折れ線状縁部５４０は、外部リードを中心に点対称の形状になっており、さらに、折れ線状縁部５４０の全域が封止部３の外端面３１に面接触している。
【００１７】
この結果、図３中、矢印方向で示すように給電線６に曲げ応力が働き、端子部材５が給電線６の動きに追従して、どのような方向に動こうとしても、端子部材５の拡大部５４の折れ線状縁部５４０が外端面３１に折れ線状に面接触しているので、端子部材５が動かず、端子部材５と外部リード４との溶接部分に応力が伝わらず、端子部材５が外部リード４から外れることがないものである。
【００１８】
図４は、本願発明の管状ランプの他の一例を示すものであり、一端側の封止部近傍の拡大斜視図である。
封止部３は、図２で示した構造と同様であり、外部リード４が突出する外端面３１と、ピンチシールした幅広面と幅狭面の外側面３２を有するものである。
【００１９】
端子部材５は、外部リード４の長手方向に伸びる形態を有しており、発光管側端部が端子部材５の長手方向と交差する方向に折り曲げられた舌片部５５を有している。
舌片部５５は、端子部材５の平坦部５３に繋がっており、外部リード４が通るようにそれぞれの舌片部５５間には隙間が空いており、平坦部５３が形成された平面に対して直角方向に折り曲げられている。
端子部材５の発光管側とは反対側の端部は、２つの折り曲げ片５２になっており、給電線６の先端が端子部材５と重なった状態にしてから、折り曲げ片５２を折り曲げることにより、給電線６の先端にカシメによって端子部材５が固着されている。
【００２０】
さらに、外部リード４は、舌片部５５を超えて、平坦部５３まで延びており、この平坦部５３で外部リード４は端子部材５と接点溶接されている。
つまり、端子部材５の発光管側端部が舌片部５５となっており、この舌片部５５の発光管側の点線で示す接触面５５０の全域が封止部３の外端面３１に面接触している。
【００２１】
この結果、図４中、矢印方向で示すように給電線６に曲げ応力が働き、端子部材５が給電線６の動きに追従して、どのような方向に動こうとしても、端子部材５の舌片部５５の接触面５５０が外端面３１に面接触しているので、端子部材５が動かず、端子部材５と外部リード４との溶接部分に応力が伝わらず、端子部材５が外部リード４から外れることがないものである。
【００２２】
図５は、本願発明の管状ランプの他の一例を示すものであり、一端側の封止部近傍の拡大斜視図である。
封止部３は、図２で示した構造と同様であり、外部リード４が突出する外端面３１と、ピンチシールした幅広面と幅狭面の外側面３２を有するものである。
【００２３】
端子部材５は、外部リード４の長手方向に伸びる形態を有しており、発光管側が、封止部３の外端面３１と接触する端面接触板５６ａと、封止部３の外側面３２に接触する側面接触板５６ｂよりなり、それぞれの側面接触板５６ｂは端面接触板５６ａに繋がっており、端面接触板５６ａに対して略直角に立設されている。
この端子部材５は、その幅Ｔが例えば１０ｍｍである。
端子部材５の発光管側とは反対側の端部は、２つの折り曲げ片５２になっており、給電線６の先端が端子部材５と重なった状態にしてから、折り曲げ片５２を折り曲げることにより、給電線６の先端にカシメによって端子部材５が固着されている。
【００２４】
さらに、端面接触板５６ａの略中心には貫通孔が形成されており、この貫通孔に外部リード４が挿入され、当該外部リード４が、端面接触板５６ａを超えて、端面接触板５６ａに続いて形成されている平坦部５３まで延びており、この平坦部５３で外部リード４は端子部材５と接点溶接されている。
つまり、端子部材５の発光管側端部が端面接触板５６ａと側面接触板５６ｂとなっており、封止部３の外端面３１及び外側面３２に面接触している。
【００２５】
この結果、図５中、矢印方向で示すように給電線６に曲げ応力が働き、端子部材５が給電線６の動きに追従して、どのような方向に動こうとしても、端子部材５の端面接触板５６ａと側面接触板５６ｂが外端面３１と外側面３２に面接触しているので、端子部材５が動かず、端子部材５と外部リード４との溶接部分に応力が伝わらず、端子部材５が外部リード４から外れることがないものである。
【００２６】
図６は、本願発明の管状ランプの他の一例を示すものであり、一端側の封止部近傍の断面図であり、図７は図６の管状ランプにおいて、端子部材とベース部材の壁部との位置関係のみを示す斜視図である。
封止部３は、図２で示した構造と同様である。
ベース部材７は筒状であって内方に伸びる壁部７１を有している。この壁部７１は中心に外部リード４が挿入される貫通孔７０が形成されている。さらに、ベース部材７は、封止部３が挿入される第１凹部７２が形成され、端子部材５が挿入される第２凹部７３が形成されている。
【００２７】
端子部材５は、図２に示す端子部材５と同様の構造であり、発光管側端部５１が円筒状のパイプになっており、この発光管側端部５１の点線で示す円状縁部５１０全域がベース７の壁部７１に面接触している。
また、端子部材５の発光管側とは反対側の端部は、２つの折り曲げ片５２になっており、給電線６の先端が端子部材５と重なった状態にしてから、折り曲げ片５２を折り曲げることにより、給電線６の先端にカシメによって端子部材５が固着されている。
さらに、外部リード４は、端子部材５のパイプ状の発光管側端部５１を通り抜け、端子部材５の平坦部５３まで延びており、この平坦部５３で外部リード４は端子部材５と接点溶接されている。
【００２８】
この結果、図７中、矢印方向で示すように給電線６に曲げ応力が働き、端子部材５が給電線６の動きに追従して、どのような方向に動こうとしても、端子部材５の発光管側端部５１の円状縁部５１０が隔壁７１に円状に面接触しているので、端子部材５が動かず、端子部材５と外部リード４との溶接部分に応力が伝わらず、端子部材５が外部リード４から外れることがないものである。
【００２９】
図８は、本願発明の管状ランプの他の一例を示すものであり、一端側の封止部近傍の断面図である。
封止部３は、図２で示した構造と同様である。
ベース部材７は筒状であって内方に伸びる壁部７１を有している。この壁部７１は中心に外部リード４と端子部材５の一部が挿入される貫通孔７０が形成されている。さらに、ベース部材７は、封止部３が挿入される第１凹部７２が形成され、端子部材５が挿入される第２凹部７３が形成されている。
【００３０】
端子部材５は、発光管側端部５１が円筒状のパイプになっており、この発光管側端部５１の点線で示す円状縁部５１０全域が封止部３の外端面３１に面接触している。さらに、端子部材５は、発光管側には端子部材５の長手方向と交差する方向に広がる拡大部５４を有している。拡大部５４は、端子部材５の平坦部５３に繋がっており、平坦部５３が形成された平面と同一平面になっており、この拡大部５４の線状縁部５４０がベース７の壁部７１に面接触している。
また、端子部材５の発光管側とは反対側の端部は、２つの折り曲げ片５２になっており、給電線６の先端が端子部材５と重なった状態にしてから、折り曲げ片５２を折り曲げることにより、給電線６の先端にカシメによって端子部材５が固着されている。
さらに、外部リード４は、端子部材５のパイプ状の発光管側端部５１を通り抜け、端子部材５の平坦部５３まで延びており、この平坦部５３で外部リード４は端子部材５と接点溶接されている。
【００３１】
この結果、給電線６に曲げ応力が働き、端子部材５が給電線６の動きに追従して、どのような方向に動こうとしても、端子部材５の拡大部５４の線状縁部５４０が壁部７１に面接触しているので、端子部材５が動かず、端子部材５と外部リード４との溶接部分に応力が伝わらず、端子部材５が外部リード４から外れることがないものである。
【００３２】
図９は、本願発明の管状ランプの他の一例を示すものであり、一端側の封止部近傍の断面図である。
図９では、並列に並んだ管状ランプ２本が共通のベース部材７に取り付けられたものである。
それぞれの封止部３から外部リード４が伸びだし、それぞれの封止部３がベース部材７の第１凹部７２に挿入されている。
それぞれの外部リード４は共通線８によって接続されており、この共通線８に端子部材５が接点溶接されている。
また、端子部材５は、ベース部材７の第２凹部７３に挿入されている。
【００３３】
端子部材５は、発光管側端部５１が円筒状のパイプになっており、この発光管側端部５１の点線で示す円状縁部５１０全域がベース部材７の第２凹部７３の底部に面接触している。
また、端子部材５の発光管側とは反対側の端部は、２つの折り曲げ片５２になっており、給電線６の先端が端子部材５と重なった状態にしてから、折り曲げ片５２を折り曲げることにより、給電線６の先端にカシメによって端子部材５が固着されている。
【００３４】
この結果、給電線６に曲げ応力が働き、端子部材５が給電線６の動きに追従して、どのような方向に動こうとしても、端子部材５の発光管側端部５１の円状縁部５１０がベース部材７の第２凹部７３の底部に円状に面接触しているので、端子部材５が動かず、端子部材５と外部リード４との溶接部分に応力が伝わらず、端子部材５が外部リード４から外れることがないものである。
【００３５】
図１０は、図９における管状ランプの他の実施例を示す断面図であり、図９の構造と異なる点は、ベース部材７の第２凹部７３は、さらに発光管側に向かって小径凹部７４を有している。
この小径凹部７４に、端子部材５のパイプ状の発光管側端部５１が挿入されている。
この結果、端子部材５の発光管側端部５１の点線で示す円状縁部５１０全域がベース部材７の小径凹部７４の底部に面接触し、さらに、発光管側端部５１の側面が小径凹部７４の内側面に面接触するので、給電線６に曲げ応力が働き、端子部材５が給電線６の動きに追従して、どのような方向に動こうとしても、端子部材５が動かず、端子部材５と外部リード４との溶接部分に応力が伝わらず、端子部材５が外部リード４から外れることがないものである。
【００３６】
なお、端子部材５の発光管側端部５１が小径凹部７４の底部から離れており、発光管側端部５１の側面が小径凹部７４の内側面に面接触した状態であっても、端子部材５が、どのような方向に動こうとしても、端子部材５が動かず、端子部材５と外部リード４との溶接部分に応力が伝わらず、端子部材５が外部リード４から外れることがないものである。
【００３７】
図９と図１０では、端子部材５と共通線８の組み合わせ全体を端子部材と見なすものであり、共通線８がベース７の第２凹部７３の底部に面接触している場合も、給電線６に曲げ応力が働いても、端子部材５と外部リード４との溶接部分に応力が伝わらず、端子部材５が外部リード４から外れることがないものである。
【図面の簡単な説明】
【００３８】
【図１】本願発明の管状ランプの平面図である。
【図２】図１における管状ランプの一端部の拡大斜視図である。
【図３】本願発明の管状ランプの他の一例を示すものであり、一端側の封止部近傍の拡大斜視図である。
【図４】本願発明の管状ランプの他の一例を示すものであり、一端側の封止部近傍の拡大斜視図である。
【図５】本願発明の管状ランプの他の一例を示すものであり、一端側の封止部近傍の拡大斜視図である。
【図６】本願発明の管状ランプの他の一例を示すものであり、一端側の封止部近傍の断面図である。
【図７】図６の管状ランプにおいて、端子部材とベース部材の壁部との位置関係のみを示す斜視図である。
【図８】本願発明の管状ランプの他の一例を示すものであり、一端側の封止部近傍の断面図である。
【図９】本願発明の管状ランプの他の一例を示すものであり、一端側の封止部近傍の断面図である。
【図１０】図９における管状ランプの他の実施例を示す断面図である。
【図１１】従来の管状ランプの平面図である。
【図１２】従来のベース付の管状ランプの一部断面図である。
【符号の説明】
【００３９】
１    発光管
２    フィラメント
３    封止部
３１  封止部の外端面
３２  封止部の外側面
４    外部リード
５    端子部材
５１  端子部材の発光管側端部
５２  折り曲げ片
５３  平坦部
６    給電線
【図１】
0005061785.tif 000002
【図２】
0005061785.tif 000003
【図３】
0005061785.tif 000004
【図４】
0005061785.tif 000005
【図５】
0005061785.tif 000006
【図６】
0005061785.tif 000007
【図７】
0005061785.tif 000008
【図８】
0005061785.tif 000009
【図９】
0005061785.tif 000010
【図１０】
0005061785.tif 000011
【図１１】
0005061785.tif 000012
【図１２】
0005061785.tif 000013